(57)【要約】【課題】信頼性の高い気象予測情報を提供することを可能とする。【解決手段】気象予測システムの予測データ解析部は、指定地点を受け付け（ステップＳ２１）、指定地点の予測データとその地点の所定範囲内の複数地点の予測データとをそれぞれ取得する（ステップＳ２２，Ｓ２３）。次に、所定範囲内の複数地点の予測データを正規分布に当てはめて許容範囲外のデータを除去する（ステップＳ２４，Ｓ２５）。さらに、許容範囲外のデータを除いた所定範囲内の複数地点の予測データについて、最大値、及び最小値を求める（ステップＳ２６）。そして、指定地点の予測データとともに上記求められた最大値、及び最小値を対応付けて表示する表示用データを作成し、モニタ等に出力する（ステップＳ２７，Ｓ２８）。【選択図】      図２
2007187478.tif 000002
【特許請求の範囲】
【請求項１】
観測データから気象予測モデルに基づいて任意の地点の気象予測データを演算する演算手段と、
前記予測演算装置から、特定地点の気象予測データとその地点の所定範囲内の複数地点の気象予測データを取得する取得手段と、
前記所定範囲内の複数地点の気象予測データについて統計をとる統計処理手段と、
前記統計処理手段の統計結果を前記特定地点の気象予測データに対応付けて表示する表示手段と
を具備することを特徴とする気象予測システム。
【請求項２】
前記統計処理手段は、前記複数地点の気象予測データの最大値及び最小値の少なくともいずれか一方を求め、前記統計結果として出力することを特徴とする請求項１記載の気象予測システム。
【請求項３】
前記統計処理手段は、予め前記複数地点の気象予測データを正規分布に当てはめて許容範囲外のデータを除き統計をとることを特徴とする請求項１記載の気象予測システム。
【発明の詳細な説明】
【技術分野】
【０００１】
この発明は、例えば、気象レーダ等で得られる観測データをもとに気象予測データを演算し提供する気象予測システムに関する。
【背景技術】
【０００２】
従来の気象予測システムでは、気象レーダ等で得られる観測データや気象庁から提供されるＧＰＶ（Grid Point Value）データ等を用いて大気の流れを計算することで気象予測を行っている。気象予測情報は、人々にとって身近であると同時に、台風や集中豪雨等のように生命や財産に関わる重要な情報であるため、予測データの信頼性の向上が図られている。例えば、予測データの精度を継続的に維持できるようにする手法や、予測データの演算処理にかかる時間を短縮するとともに障害に対する堅牢性を高める手法が提案されている（例えば、特許文献１又は２を参照。）。
【特許文献１】特開２００４−１０９００１号公報
【特許文献２】特開２００３−０９０８８８号公報
【発明の開示】
【発明が解決しようとする課題】
【０００３】
ところで、気象予測情報は、あくまでも予測に過ぎず、時間的・空間的ずれを伴う不確実性を有する。つまり、当たる場合もあるが、当たらない場合もある。しかし、予測情報の価値は存在する。例えば、集中豪雨の発生の可能性が事前に予測されていれば、たとえその可能性が低くとも十分に価値ある情報となる。つまり、情報提供の仕方によって、その情報の価値が左右される。
【０００４】
この発明は上記事情に着目してなされたもので、その目的とするところは、信頼性の高い気象予測情報を提供することができる気象予測システムを提供することにある。
【課題を解決するための手段】
【０００５】
上記目的を達成するためにこの発明に係わる気象予測システムは、観測データから気象予測モデルに基づいて任意の地点の気象予測データを演算する演算手段と、前記予測演算装置から、特定地点の気象予測データとその地点の所定範囲内の複数地点の気象予測データを取得する取得手段と、前記所定の範囲内の複数地点の気象予測データについて統計をとる統計処理手段と、前記統計処理手段の統計結果を前記特定地点の気象予測データに対応付けて表示する表示手段とを具備することを特徴とする。
【０００６】
また、前記統計処理手段は、前記複数地点の気象予測データの最大値及び最小値の少なくともいずれか一方を求め、前記統計結果として出力するようにする。  
また、前記統計処理手段は、予め前記複数地点の気象予測データを正規分布に当てはめて許容範囲外のデータを除き統計をとるようにするものである。
【０００７】
上記構成による気象予測システムでは、特定地点の予測データとその地点の所定範囲内の複数地点の予測データとをそれぞれ取得し、取得された所定範囲内の複数地点の予測データについて、例えば、最大値、及び最小値などの統計値を求める。そして、特定地点の予測データとともに上記求められた統計値を対応付けて表示するようにしている。
【０００８】
このように構成することで、予測情報の不確実性をできる限り排して、気象予測データから得られる気象予測情報を的確に提供することができる。このような情報提供手法により、住民の避難誘導や、ダム放水の運用・都市下水道のポンプ場運転など、気象現象の危険度判断を必要とするユーザに対し、判断を支援する信頼性の高い気象予測情報を提供することができる。また、取得された所定範囲内の複数地点の予測データについて、許容範囲外のデータを除いて統計処理を行うようにすることで、さらに確実性の高い気象予測情報を提供することが可能となる。
【発明の効果】
【０００９】
したがってこの発明によれば、信頼性の高い気象予測情報を提供することができる気象予測システムを提供することができる。
【発明を実施するための最良の形態】
【００１０】
以下、図面を参照しながら本発明の実施の形態を詳細に説明する。  
図１は、本発明に係わる気象予測システムの一実施形態を示すブロック構成図である。この気象予測システム１は、ネットワークＮＴを介して気象庁データサーバＤＳ０、及びレーダサイトサーバＤＳ１，ＤＳ２に接続されている。気象予測システム１は、ネットワークＮＴと接続される通信インターフェース１２と、通信処理部１１と、観測データ格納部１３と、気象予測モデル演算部１４と、予測データ格納部１５と、予測データ解析部１６とを備える。
【００１１】
通信処理部１１は、気象庁データサーバＤＳ０やレーダサイトサーバＤＳ１，ＤＳ２で気象予測のもとになる観測データ・予測データ（ＧＰＶデータ）をネットワークＮＴを介して入手する。この通信処理部１１で入手された気象観測データは観測データ格納部１３に格納され、気象予測モデル演算部１４からの要求に応じて選択的に気象予測モデル演算部１４に送られる。
【００１２】
気象予測モデル演算部１４は、気象予測のもととなるデータが観測データ格納部１３に格納されると起動し、気象予測演算を実行する。また、この気象予測モデル演算部１４で求められた気象予測データは予測データ格納部１５に蓄積される。また、この保存された予測データは、観測データ格納部１３に新たな観測データが入ってきた際には、観測と予測のズレを補正するために、気象予測モデル演算部１４が再び起動し、気象予測演算を再実行する。  
また、予測データ解析部１６は、気象予測モデル演算部１４から出力される予測データをもとに所定の地点の予測解析を行い、この解析結果に基づいて気象予測情報を提供するための表示用データを作成する。そして、作成された表示用データをモニタ等に出力する。
【００１３】
次に、この気象予測システム１の動作について説明する。図２は、気象予測システム１における予測データ解析部１６の処理手順とその内容を示すフローチャートである。  
図２において、予測データ解析部１６は、ステップＳ２１において、気象予測情報の要求のある指定地点の入力を受け付けると、ステップＳ２２により、上記入力された指定地点の予測データを予測データ格納部１５から取得する。また、ステップＳ２３において、指定地点から所定範囲（例えば、指定地点から半径Ｘｋｍ）内の複数地点の予測データを予測データ格納部１５からそれぞれ取得する。
【００１４】
次に、上記取得された所定範囲内の複数地点の予測データに対して、ステップＳ２４において、平均値、及び標準偏差を算出する。そして、ステップＳ２５において、算出された平均値と標準偏差とに基づいて、所定範囲内の複数地点の予測データを正規分布に当てはめて、許容範囲外のデータを除去する。さらに、ステップＳ２６において、許容範囲外のデータを除いた複数地点の予測データについて、最大値、及び最小値を求める。そして、ステップＳ２７により、指定地点の予測データとともに上記求められた所定範囲内の最大値、及び最小値を対応付けて表示する表示用データを作成する。この作成された表示用データをステップＳ２８においてモニタに出力する。
【００１５】
図３は、この気象予測システム１から出力された表示用データをもとに表示された降水量についての気象予測画面例である。また、図４は、温度についての気象予測画面の表示例である。両図において、棒グラフは指定地点の予測データを示し、折れ線グラフは、指定地点から所定範囲内の予測データの最大値、及び最小値を示す。このように指定地点の予測データだけでなく、指定地点から所定範囲内の予測情報を提示することで、予測のずれが発生した場合でも、ユーザは、天候の変化などの兆候を的確に把握することが可能になる。
【００１６】
以上のように上記実施形態では、気象予測システム１の予測データ解析部１６は、指定地点の予測データとその地点の所定範囲内の複数地点の予測データとをそれぞれ取得する。次に、所定範囲内の予測データを正規分布に当てはめて、許容範囲外のデータを除去する。さらに、許容範囲外のデータを除いた所定範囲内の複数地点の予測データについて、最大値、及び最小値を求める。そして、指定地点の予測データとともに上記求められた最大値、及び最小値を対応付けて表示する表示用データを作成し、モニタ等に出力している。
【００１７】
したがってこの発明によれば、予測情報の不確実性をできる限り排して、気象予測データから得られる情報を的確に提供することができる。このような情報提供手法により、住民の避難誘導や、ダム放水の運用・都市下水道のポンプ場運転など、気象現象の危険度判断を必要とするユーザに対し、判断を支援する信頼性の高い気象情報を提供することができる。
【００１８】
なお、この発明は、上記実施形態に限定されるものではない。提供する気象予測情報として、降水量や温度の他に、例えば、風速、気圧、湿度などを適用することができる。また、上記実施形態では、図３及び図４に示した気象予測画面において、最大値及び最小値を折れ線グラフで表示するように構成したが、算出された最大値及び最小値から範囲（レンジ）を求めて、指定地点の予測データに対応付けて範囲を表示するようにしてもよい。また、統計値として平均値を表示してもよく、統計処理の手法についてするように構成することもできる。その他にも、気象予測システム１の構成、及び予測データ解析部１６の処理手順と処理内容についてもこの発明を逸脱しない範囲で種々に変形して実施できる。
【００１９】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２０】
【図１】本発明に係わる気象予測システムの一実施形態を示すブロック構成図。
【図２】図１に示す気象予測システムにおける予測データ解析部の処理手順とその処理内容を示すフローチャート。
【図３】気象予測システムから提供される表示用データをもとに表示される画面構成の一例を示す図。
【図４】気象予測システムから提供される表示用データをもとに表示される他の画面構成を示す図。
【符号の説明】
【００２１】
１…気象予測システム、１１…通信処理部、１２…通信インターフェース、１３…観測データ格納部、１４…気象予測モデル演算部、１５…予測データ格納部、１６…予測データ解析部、ＮＴ…ネットワーク、ＤＳ０…気象データサーバ、ＤＳ１，ＤＳ２…レーダサイトデータサーバ。
【図１】
2007187478.tif 000003
【図２】
2007187478.tif 000004
【図３】
2007187478.tif 000005
【図４】
2007187478.tif 000006